(57)【要約】【課題】台座部を骨組み部材に定着させるための定着機構の部品点数を減少させることができるとともにロープ部材を用いることができる補強装置の提供。【解決手段】建築構造物の構面４を構成する一対の略平行な柱２に、構面４の対角線上で柱２の相対向する側と反対側に位置に一対の台座部２０を配設し、これら台座部２０に長手状のブレース１０の軸方向の両端部を保持させる。ブレース１０は、台座部２０に係合され略コ字状部を有する端部１０Ａと、これらの端部１０Ａ同士を接続する直線状の中央部１０Ｂとを備えた。そのため、ブレース１０の端部をナット等の定着手段を用いて台座部２０に定着することを要しない。【選択図】          図１
2004270240.tif 000002
【特許請求の範囲】
【請求項１】
構造体の構面を構成する一対の略平行な骨組み部材に、前記構面の対角線上で前記骨組み部材の相対向する側と反対側に位置して配設される一対の台座部と、これら台座部に軸方向の両端部が保持されて前記台座部間の距離が広がる方向への応力に対して引っ張り力を作用させる長手状のブレースと、を備え、このブレースは、それぞれ前記台座部に係合され略コ字状部を有する端部と、これらの端部同士を接続する直線状の中央部とを備えたことを特徴とする補強装置。
【請求項２】
請求項１に記載の補強装置において、
前記ブレースは、互いに対向配置された略コ字状の端部とこれらの端部同士をそれぞれ接続する直線状の中央部とを有する略リング状のロープ部材であることを特徴とする補強装置。
【請求項３】
請求項１又は２に記載の補強装置において、
前記ブレースは、その略コ字状を形成する平面が前記構面と交差する方向に配置され、
前記台座部は前記骨組み部材の外側に配置される取付部材を備え、この取付部材は、その外側に前記ブレースの端部を係合する係合溝が形成されていることを特徴とする補強装置。
【請求項４】
請求項３に記載の補強装置において、
前記係合溝の前記ブレースの端部を挟んで対向する位置に前記ブレースの端部を保持する保持金具が設けられていることを特徴とする補強装置。
【請求項５】
請求項１又は２に記載の補強装置において、
前記ブレースは、その略コ字状を形成する平面が前記構面と交差する方向に配置され、
前記台座部は前記骨組み部材の外側に配置される取付部材を備え、この取付部材は、前記ブレースの端部を挿通する係合孔が形成されていることを特徴とする補強装置。
【請求項６】
請求項１又は２に記載の補強装置において、
前記ブレースは、その略コ字状を形成する平面が前記構面と略平行に配置され、
前記台座部は前記骨組み部材の外側に配置される取付部材を備え、この取付部材は、その端部に前記ブレースの端部を係合する係合部を備えたことを特徴とする補強装置。
【請求項７】
請求項１〜６のいずれかに記載の補強装置において、
前記台座部は、骨組み部材を幅方向で挟持して前記骨組み部材に取り付けられることを特徴とする補強装置。
【発明の詳細な説明】
【０００１】
【発明の属する技術分野】
本発明は、鉄筋コンクリート構造や鉄骨構造、木構造などの建築物、あるいは土木構造物などをブレースにより補強する補強装置に関する。
【０００２】
【背景技術】
従来、ビルや住宅などの建築構造物において、地震力や風圧力などによる建物の変形を防ぐための補強としてブレースを備えた補強装置がある。ブレースは、柱や梁などで構成された略長方形の構面の対角線に設けられた斜材である。この補強装置は、建築構造物に地震力や風圧力によって構面が変形しようとする外力が加わった場合、この構面の変形に対してブレースの引張応力および圧縮応力によって抵抗する。
【０００３】
この補強装置は、例えば木造家屋などの柱梁が軸組みされた在来構法の建築構造物に利用される場合、木製のブレースを直接柱や梁に釘打ちにより固定したり、柱や梁に取り付け固定した金具に金属棒状のブレースの両端部を引っ掛け、あるいはブレースの両端部をナット止めするなどして配設している。また、例えば鉄筋コンクリート構造の建築構造物に補強装置を利用する場合には、柱・梁を構成する鉄筋とともにブレースを同時に配筋してコンクリートを打設したり、コンクリートに埋設させたブレース取付用の金具にブレースを取り付けるなどにより補強装置を配設する。さらに、例えば鉄骨構造の建築構造物に補強装置を利用する場合には、柱や梁に直接溶接したブレース取付用の金具にブレースを取り付けるなどして補強装置を配設している。
【０００４】
【発明が解決しようとする課題】
前述の補強装置では、柱や梁にブレースに対して外部からの応力が伝達できるように、ブレース取付用の金具を柱や梁に取り付けたり、ブレースを取り付けるための孔を直接柱や梁に設けるなど、作業が煩雑となる問題がある。
【０００５】
本発明の目的は、容易に設置することができる補強装置を提供することにある。
【０００６】
【課題を解決するための手段】
そのため、本発明はブレースとして略コ字型部を有する端部を備え、この端部を台座部の外側部に係合して前記目的を達成しようとするものである。
【０００７】
具体的には、本発明の補強装置は、構造体の構面を構成する一対の略平行な骨組み部材に、前記構面の対角線上で前記骨組み部材の相対向する側と反対側に位置して配設される一対の台座部と、これら台座部に軸方向の両端部が保持されて前記台座部間の距離が広がる方向への応力に対して引っ張り力を作用させる長手状のブレースと、を備え、このブレースは、それぞれ前記台座部に係合され略コ字状部を有する端部と、これらの端部同士を接続する直線状の中央部とを備えたことを特徴とする。
【０００８】
この構成の発明では、構造体の構面を構成する一対の略平行な骨組み部材に、構面の対角線上で骨組み部材の相対向する側と反対側に位置して一対の台座部を配設し、これら台座部にブレースの略コ字状部を係合させて長手状のブレースの軸方向の両端部を保持させて、台座部間の距離が広がる方向への応力が生じる際にはブレースに応力に対する引っ張り力を作用させる。ブレースに対する応力を引っ張り力を作用させるには適宜の手段を採用することができる。例えば、ブレースの途中にターンバックルを設けるものでもよい。
【０００９】
このことにより、例えば地震力や風圧力などの外力により構造体に構面が変形するような負荷が掛かって台座部間の距離が広がる方向への応力が生じた際に、ブレースに引っ張り応力が作用するので、台座部がブレースにて引っ張られ外側から骨組み部材に押し付けられる力が作用して位置ずれすることがない。そのため、台座部を強固に骨組み部材に取り付けるための構成が不要となり、簡単な構成で補強装置を配置することができ、配置作業の作業性を向上させることができる。
しかも、本発明では、ブレースの端部を略コ字状部を有する構造としたので、例えば、ブレースを略リング状に形成してもよく、鋼棒の端部にリング状のフックを取り付けてもよい。そのため、ブレースとして種々の構造のものを採用することができる。
その上、略コ字状部の端部が台座部に係合されているので、ブレースの端部をナット等の定着手段を用いて台座部に定着することを要しない。そのため、台座部にブレースを定着するための部品点数を減少させることができる。このように、定着させるための部品点数が少ない点からも、補強装置の配置作業の作業性を向上させることができる。
【００１０】
ここで、本発明では、前記ブレースは、互いに対向配置された略コ字状の端部とこれらの端部同士をそれぞれ接続する直線状の中央部とを有する略リング状のロープ部材であることが好ましい。
この構成の本発明では、ブレースを略リング状に形成することで、直線状の中央部が２本配置されることになり、補強効果を大きなものにできる。
【００１１】
さらに、前記ブレースは、その略コ字状を形成する平面が前記構面と交差する方向に配置され、前記台座部は前記骨組み部材の外側に配置される取付部材を備え、この取付部材は、その外側に前記ブレースの端部を係合する係合溝が形成されていることが好ましい。
【００１２】
この構成の発明では、取付部材に形成された係合溝にブレースのコ字状端部を係合するだけで台座部へのブレースへの定着が行われる。
そのため、ブレースの台座部への定着作業が容易に行えるので、作業性がより向上する。
【００１３】
さらに、本発明では、前記係合溝の前記ブレースの端部を挟んで対向する位置に前記ブレースの端部を保持する保持金具が設けられている構成が好ましい。
この構成の発明では、地震等で骨組み部材に振動が伝わった際に、取付部材の係合溝からブレースの端部が外れようとしても、このブレースの端部は保持金具で保持されているため、取付部材から誤って外れることがない。
【００１４】
また、本発明では、前記ブレースは、その略コ字状部を形成する平面が前記構面と交差する方向に配置され、前記台座部は前記骨組み部材の外側に配置される取付部材を備え、この取付部材は、前記ブレースの端部を挿通する係合孔が形成されている構成が好ましい。
【００１５】
この構成の発明では、係合孔にコ字状部を挿通することで、台座部へのブレースの定着が行われる。
そのため、ブレースの台座部への定着作業が容易に行えるので、作業性がより向上する。しかも、係合孔に挿通されたコ字状部は地震等があっても、取付部材から誤って外れることがない。
【００１６】
さらに、本発明では、前記ブレースは、その略コ字状部を形成する平面が前記構面と略平行に配置され、前記台座部は前記骨組み部材の外側に配置される取付部材を備え、この取付部材は、その端部に前記ブレースの端部を係合する係合部を備えた構成が好ましい。
【００１７】
この構成の発明では、取付部材の端部に形成された係合部にブレースのコ字状の端部を係合することで、台座部へのブレースの定着が行われる。
そのため、ブレースの台座部への定着作業が容易に行えるので、作業性がより向上する。
【００１８】
また、本発明では、前記台座部は、骨組み部材を幅方向で挟持して前記骨組み部材に取り付けられる構成が好ましい。
この構成の発明では、骨組み部材を幅方向で挟持することにより台座部を骨組み部材に取り付ける。このことにより、ブレースに引っ張り力が作用しない場合でも、台座部が位置ずれすることなく骨組み部材の所定の位置に配設され、いずれの骨組み部材でも加工することなく容易に配設可能となる。
【００１９】
【発明の実施の形態】
以下、本発明の補強装置の一実施形態を図面に基づいて説明する。ここで、各実施形態の説明中、同一構成部材は同一符号を付して説明を省略若しくは簡略にする。
［第１実施形態］
図１ないし図５には本発明の第１実施形態が示されている。
【００２０】
〔補強装置の構成〕
図１及び図２には補強装置１の全体構成が示されている。図１は補強装置１を配設した状態を示す正面図であり、図２は、その平面断面図である。
これらの図において、補強装置１は、例えばビルや住宅などの柱２および梁３などの骨組み部材にて軸組みされる図示しない構造体としての建築構造物に用いられ、柱２及び梁３などの骨組み部材にて構成される略長方形の構面４に１セット配設される。
そして、補強装置１は、一対のブレース１０と、一対の台座部２０とを備えている。
【００２１】
ブレース１０は、ロープ部材から略リング状に形成されており、かつ、その略リング状を形成する平面が構面４と直交配置されている。本実施形態では、ロープ部材は種々のものを用いることができ、例えば、鋼線を撚って成形したワイヤでもよく、１本の鋼線からなるものでもよく、チェーンや鎖でもよく、あるいは、天然繊維、炭素繊維、合成織維を撚って成形したものでもよい。
ブレース１０は、互いに対向配置された略コ字状の端部１０Ａと、これらの端部１０Ａ同士を接続する直線状の中央部１０Ｂとを有するものであり、コ字状の端部１０Ａがそれぞれ台座部２０に係合されている。
両端部１０Ａにそれぞれ接続される２本の中央部１０Ｂは柱２を挟んで互いに対向配置されている。中央部１０Ｂの一部は、所定箇所で切断されており、その切断箇所は所定の引っ張り力をもって適宜な接続手段、例えば、ターンバックル１１で接続されている。
【００２２】
台座部２０の具体的な構造が図３から図５に示されている。図３は台座部２０の保持具近傍を示す一部を切り欠いた側面図であり、図４は台座部２０の取付具近傍を示す一部を切り欠いた側面図であり、図５は台座部近傍を示す一部を切り欠いた正面図である。
これらの図において、台座部２０は、取付部材としての保持具２１と、取付部材としての取付具２２と、連結部材としての一対の連結具２３とを備えている。そして、連結具２３は、例えば鋼鉄製の細長丸棒状に形成されている。
この連結具２３は、長手方向の寸法が、例えば構面４に対して略平行となる骨組み部材である柱２の幅寸法より長く形成されている。さらに、連結具２３の両端部には雄ねじ２４が螺刻形成されている。
【００２３】
取付具２２は、例えば鋼鉄製の四角柱状に形成されている。この取付具２２は、軸方向である長手方向の寸法が、例えば構面４に対して垂直方向における柱２の幅寸法より長く形成されている。取付具２２の長手方向の両端部には、連結具２３を嵌挿可能な図示しない貫通孔が設けられている。連結具２３の一端部は雄ねじ２４が形成されるとともに、この雄ねじ２４にはナット３３が螺合されている。このナット３３は柱２との間で取付具２２を挟持固定するものである。
【００２４】
保持具２１は、取付具２２と対をなし、例えば鋼鉄製の四角柱状に形成されている。この保持具２１は、軸方向である長手方向の寸法が、例えば構面４に対して垂直方向における骨組み部材である柱２の幅寸法より長く形成されている。そして、この保持具２１の長手方向の両端部には、取付具２２の貫通孔に対応する位置に貫通孔を嵌挿した連結具２３の一端側の雄ねじ２４が螺合する取付雌ねじ（図示せず）が形成されている。
【００２５】
保持具２１は、柱２の外側にブレース１０の端部を係合する断面略半円状の係合溝２１Ａが略水平方向（保持具長手方向）に沿って形成されている。
係合溝２１Ａのブレース１０の端部を挟んで対向する位置にはブレース１０の端部１０Ａを保持する保持金具２５が２カ所設けられている
保持金具２５は、１枚の金属板を折り曲げて形成されるもので、保持具２１の外側に図示しないボルト等で取り付けられる平板部２５Ａと、この平板部２５Ａと一体に形成された湾曲部２５Ｂとを備えている。
湾曲部２５Ｂはブレース１０の端部と対向しており、この湾曲部２５Ｂの両端部に平板部２５Ａがそれぞれ接続されている。
【００２６】
〔補強装置の組み付け動作〕
次に、第１実施形態の組み付け動作について説明する。
まず、建築構造物の柱２及び梁３などの骨組み部材に、保持具２１の側面を、骨組み部材としての柱２の梁３側に位置する状態に当接させる。さらに、取付具２２を長手方向が保持具２１の長手方向と略平行となるように柱２を介在して対向する状態に位置させる。
そして、取付具２２の貫通孔に一対の連結具２３をそれぞれ嵌挿し、連結具２３の嵌挿した側の一端の雄ねじ２４を保持具２１の取付雌ねじにそれぞれ螺着する。
【００２７】
なお、あらかじめ保持具２１の取付雌ねじに連結具２３の雄ねじ２４を螺合して平面視でコ字状に一対の連結具２３を螺着した構成としておき、この保持具２１を連結具２３間に柱２が位置する状態で柱２の端部の側面に当接させる。そして、連結具２３をそれぞれ取付具２２の貫通孔に嵌挿しつつ取付具２２を保持具２１に対向する状態で柱２に当接させる手順とするなどしてもできる。
【００２８】
そして、取付具２２の貫通孔を貫通する連結具２３の取付具２２から突出する各雄ねじ２４にそれぞれナット３３を螺着し、柱２を保持具２１及び取付具２２が挟み込む状態で台座部２０を配設する。このようにして、図に示すように、台座部２０を構面４を構成する一対の柱２の両端部にそれぞれ配置する。
【００２９】
この後、構面４の対角線上に互いに位置する台座部２０の保持具２１にブレース１０を装着する。
そのため、直線状のロープ部材を所定位置で略直角に折り曲げて、その折り曲げ部近傍を上方に位置する保持具２１の係合溝２１Ａに係合させる。その後、折り曲げたロープ部材の先端側を折り曲げて一方の端部１０Ａとこの端部に続く直線状の中央部１０Ｂを形成し、この中央部１０Ｂの先端側を折り曲げ、この折り曲げた部分を下方に位置する保持具２１の係合溝２１Ａに係合させる。さらに、折り曲げた先端側のロープ部材を折り曲げて他方の端部１０Ａとこれに中央部１０Ｂを形成し、最後にロープ部材の端部同士をターンバックル１１で連結してロープ部材を略リング状に形成する。なお、台座部２０の保持具２１にブレース１０を装着する後又は前に保持金具２５を柱２に取り付ける。
ここで、直線状のロープ部材を曲線状に折り曲げるために、外周部に断面円弧状の加工溝が形成された円板部材をロープ部材に押しつけながら回転させる手法を採用できる。
【００３０】
この補強装置１が配設された建築構造物に地震力や風圧力などにて構面４が変形するような外力が作用した場合、図５に示すように、ブレース１０に引っ張り応力である引っ張り荷重Ｔｙが掛かる。この引っ張り荷重Ｔｙにより、台座部２０には、保持具２１を柱２の側面に押し付ける水平力Ｐｈと、保持具２１を柱２の側面に沿って移動させる鉛直力Ｐｖとが作用することとなる。
【００３１】
ここで、Ｐｈ×μ≧Ｐｖであれば、台座部２０が柱２の側面に沿って移動して外れることはない。このように、保持具２１と柱２との摩擦力を加味して、Ｐｈ×μ≧Ｐｖとなるようにブレース１０を水平方向に対して交差する状態に配設すればよいことになる。
【００３２】
〔補強装置の効果〕
前述の構成の第１実施形態によれば、次の作用効果を奏することができる。
（１）補強装置１は、建築構造物の構面４を構成する一対の略平行な骨組み部材である柱２に、構面４の対角線上で柱２の相対向する側と反対側に位置、すなわち構面４を構成する側に対して外側の面に位置して一対の台座部２０を配設し、これら台座部２０に長手状のブレース１０の軸方向の両端部を保持させて、台座部２０間の距離が広がる方向への応力が生じる際にはブレース１０にて応力に対して引っ張り力を作用させる。このことにより、構面４を構成する一対の柱２の外側を掛け渡す状態に補強装置１が配設される状態となる。
このため、例えば地震力や風圧力などの外力により建築構造物に構面４が変形するような負荷が掛かって台座部２０間の距離が広がる方向への応力が生じた際に、ブレース１０に引っ張り応力が作用するので、台座部２０がブレース１０にて引っ張られ外側から柱２に押し付けられる力が作用して位置ずれすることを防止できる。そのため、台座部２０を強固に柱２に取り付けるための構成が不要となり、簡単な構成で補強装置を配置することがでる。
【００３３】
（２）ブレースのコ字状部の両端部１０Ａがそれぞれ台座部２０に係合されているので、ブレース１０の端部をナット等の定着手段を用いて台座部２０に定着することを要しない。そのため、定着手段の部品点数を減少させることができ、この点からも、補強装置の設置作業を簡略にすることができる。さらに、ブレース１０として使用されるロープ部材は鋼棒に比べて現場での加工が容易であるため、現場に適合した補強装置１を提供することができる。
（３）ブレース１０は、互いに対向配置された略コ字状の端部１０Ａとこれらの端部１０Ａ同士を接続する２本の直線状の中央部１０Ｂとを有する略リング状のロープ部材であるから、直線状の中央部１０Ｂが構面４と直交する平面内に２本配置されることになり、当該面内での補強効果を大きなものにできる。
【００３４】
（４）ブレース１０は、その略リング状を形成する平面が構面４と直交する方向に配置され、台座部２０は骨組み部材の外側に配置される保持具２１を備え、この保持具２１は、その外側にブレース１０の端部１０Ａを係合する係合溝２１Ａが形成されているので、保持具２１に形成された係合溝２１Ａにブレース１０のコ字状端部１０Ａを係合するだけで台座部２０へのブレース１０への定着が行われる。
従って、ブレース１０の台座部２０への定着作業が容易に行えるので、作業性が向上する。
【００３５】
（５）係合溝２１Ａのブレース１０の端部１０Ａを挟んで対向する位置にブレース１０の端部１０Ａを保持する保持金具２５が設けられているから、地震等で柱２に振動が伝わった際に、保持具２１の係合溝２１Ａからブレース１０の端部１０Ａが外れようとしても、この端部１０Ａは保持金具２５で保持されているため、保持具２１から誤って外れることがない。
【００３６】
（６）補強装置１は、柱２や梁３などの骨組み部材の軸組にて構面４を形成する建築構造物の骨組み部材としての柱２に、柱２の幅方向で挾持する状態に構面４の対角線上に位置して一対の台座部２０を取り付け、これら台座部２０に長手状のブレース１０の両端部を保持させて、台座部２０間の距離が広がる方向への応力に対して引っ張り力を作用させる状態に、ブレース１０を構面４の対角線上に軸方向が略沿うように配設する。このため、ブレース１０を配設するために柱２や梁３などの骨組み部材に釘打ちしたり孔を設けたり溶接するなどの加工を施す必要がなく、特別な技術を要することなく取付ナット３３を螺着するのみで容易に補強装置１を配設できる。そして、骨組み部材に加工を施すことがないので、骨組み部材が木造やコンクリート、鉄骨などの素材に係わらず補強装置１を同様に設けることができ、汎用性を向上できる。
【００３７】
（７）柱２の径方向に沿って対向する対をなす保持具２１及び取付具２２の両端部に、これら保持具２１及び取付具２２の対向方向の間隙を狭める方向に付勢力を作用させる、すなわち互いに対向方向に近づけるようにして柱２を挾持する方向に一対の連結具２３を設けて台座部２０を構成する。このため、保持具２１及び取付具２２間に柱２を介在させて一対の連結具２３を保持具２１及び取付具２２の両端部にそれぞれ設けることで、台座部２０を柱２にこの柱２を挾持する状態で取り付ける構成が、容易で簡単な構成ででき、容易に補強装置１を形成できる。
【００３８】
（８）柱２の構面４に対して略垂直方向における幅寸法より長手状に対をなす保持具２１及び取付具２２を形成し、長手状の連結具２３の一端の雄ねじ２４を一方の保持具２１の取付雌ねじに螺着するとともに、他端の雄ねじ２４を他方の取付具２２の貫通孔を貫通させてナット３３を螺合することにより、保持具２１及び取付具２２の間隙を狭める方向に付勢力を作用させて柱２を挟持する状態に台座部２０を柱２に取り付ける。このため、簡単な構成で容易に、柱２を挟持する状態に台座部２０を柱２に取り付ける構成が得られ、製造性を向上できるとともに、容易に補強装置１を配設できる。
【００３９】
［第２実施形態］
次に、本発明の第２実施形態を図６に基づいて説明する。第２実施形態は第１実施形態とは保持具の形状が異なるもので、他の構造は第１実施形態と同じである。
図６において、第２実施形態の保持具３１は保持具２１と同様に、例えば鋼鉄製の四角柱状に形成されている。この保持具３１は、軸方向である長手方向の寸法が、例えば構面４に対して垂直方向における柱２の幅寸法より長く形成されている。保持具３１の長手方向の両端部には、取付具２２の貫通孔に対応する位置に貫通孔を嵌挿した連結具２３の一端側の雄ねじ２４が螺合する取付雌ねじ（図示せず）が形成されている。
保持具３１は、柱２の外側にブレース１０の端部を挿通する断面円形の係合孔３１Ａが略水平方向（保持具長手方向）に沿って形成されている。
【００４０】
従って、第２実施形態では第１実施形態の（１）〜（３）（５）〜（７）と同様の作用効果を奏することができる他、次の作用効果を奏することができる。
（９）保持具３１は、ブレース１０の端部１０Ａを挿通する係合孔３１Ａが形成されているので、係合孔３１Ａにロープ部材を挿通することで、台座部２０へのブレース１０への定着が行われる。
そのため、ブレース１０の台座部２０への定着作業が容易に行えるので、作業性がより向上する。しかも、係合孔３１Ａに挿通されたロープ部材は地震等があっても、取付部材から誤って外れることがない。そのため、メンテナンスも容易となる。
【００４１】
［第３実施形態］
次に、本発明の第３実施形態を図７から図９に基づいて説明する。第３実施形態は第１実施形態とは保持具並びにブレース１０の配置状態が異なるもので、他の構造は第１実施形態と同じである。
全体構成を示す図７及び図８において、ブレース１０は、その略リング状を形成する平面が構面４と略平行に配置されている。第３実施形態では、ブレース１０は、柱２を挟んで互いに対向配置されている。
【００４２】
台座部２０の詳細な構造が図９に示されている。
図９において、台座部２０は骨組み部材の外側に配置される保持具４１を備えている。この保持具４１は、取付具２２と対をなし、例えば鋼鉄製の略半円柱状に形成されている。この保持具４１は、軸方向である長手方向の寸法が、例えば構面４に対して垂直方向における柱２の幅寸法より長く形成されている。そして、この保持具４１の長手方向の両端部には、ブレース１０の端部１０Ａを係合する係合部４１Ａが形成されている。保持具４１の取付具２２の貫通孔に対応する位置に貫通孔を嵌挿した連結具２３の一端側の雄ねじ２４が螺合する取付雌ねじ（図示せず）が形成されている。
【００４３】
従って、第３実施形態では第１実施形態の（１）〜（３）（５）〜（７）と同様の作用効果を奏することができる他、次の作用効果を奏することができる。
（１０）ブレース１０は、その略リング状を形成する平面が構面４と略平行に配置され、台座部２０は骨組み部材の外側に配置される保持具４１を備え、この保持具４１は、その端部にブレース１０の端部１０Ａを係合する係合部４１Ａを備えたから、ブレース１０の台座部２０への定着作業が容易に行えるので、作業性がより向上する。しかも、略リング状のロープ部材は、その平面が構面４と略平行に形成されるから、構面４と略平行な面にロープ部材の直線状の中央部１０Ｂが２本配置されることになり、１つの構面４内での補強効果を大きなものにできる。
（１１）ブレース１０は骨組み部材である柱２を挟んで互いに対向配置されているので、柱２を挟んで対称の補強構造を採用することができる。そのため、外力により建築構造物に構面４が変形するような負荷が掛かっても、この負荷が柱２を挟んで対向配置されたブレース１０に均等に分散されることになるので、柱２の所定個所のみ負荷がかかることがない。
【００４４】
〔他の実施の形態〕
なお、本発明は前記実施形態に限定されるものではなく、本発明の目的を達成できる範囲での変形、改良等は本発明に含まれるものである。
本発明は、構造体として建築構造物に用いて説明したが、例えば建築構造物を構築するための基礎に利用したり、基礎を形成するための補強に用いたり、土木分野に用いるなど、いずれの構造体にも利用できる。
【００４５】
さらに、前記各実施形態では、ブレース１０を略リング状のロープ部材から構成したが、本発明では、互いに対向配置された略コ字状部を有する端部１０Ａとこの端部１０Ａ同士を接続する直線状の中央部１０Ｂとを備え、その略コ字状の端部１０Ａがそれぞれ台座部２０に係合されている構成であれば、具体的な形状・構造は問われない。例えば、中央部１０Ｂとして１本の鋼棒やワイヤを用い、この鋼棒等の両端にループ状やフック状の端部を取り付けたものでもよい。この場合、ループ状やフック状の端部が略コ字状部を構成することになる。
【００４６】
また、ブレース１０を配設するための台座部２０として、柱２を挟持する状態に配設する構成について説明したが、柱２に取り付けるための構成がなく、単に張設したブレース１０の引っ張り力や仮止めなどの別構成を設けるなどして、構面４を構成する一対の柱２の外側を掛け渡す状態に補強装置１を配設してもできる。
例えば、台座部２０として保持具２１，３１，４１のように四角柱状や略半円柱状とし、柱２の相対向する側となる構面４側と反対側である外側に位置させる。この際、例えば接着剤や粘着剤にて貼り付けたり、紐やワイヤなどの紐状部材にて縛り付けたりして柱２の端部に仮止めしておくとよい。この状態で、ブレース１０の両端部を保持具２１，３１，４１に係合させる。なお、仮止めしなくてもよいが、仮止めすることにより、ブレース１０の配設の際に、台座部２０を柱２の端部に位置させておく作業が不要となり、作業性が向上するため好ましい。
【００４７】
そして、第３実施形態において、補強装置１として、保持具４１の両端部に２本のブレース１０をそれぞれ保持する構成としたが、例えば保持具４１の一方の端部のみにブレース１０を保持する構成としてもできる。
また、この構成を利用して、構面４を間に挟む状態で対角線上に交差する状態で２セット配設したり、構面４に対して１セットのみとして、隣接する構面４には、ブレース１０が同方向とならないように配設するなどしてもよい。
【００４８】
さらに、台座部２０として、略角柱状や略半円柱状の保持具２１，３１，４１及び略角柱状の取付具２２を用いて断面矩形状の柱２を挟持する構造としたが、例えば柱２が円柱状などの場合には、保持具２１，３１，４１及び取付具２２をコ字状に形成して円柱状の骨組み部材を挾持する構成とするなど、取り付ける骨組み部材に対応していずれの形状としてもできる。そしてさらに、上述したように、取付具２２や連結具２３を設けず、ブレース１０の引っ張り力で保持具２１を柱２に配設したり、貼り付けや縛り付けなどの別の構成にて配設するなどしてもできる。
【００４９】
また、保持具２１，３１，４１にブレース１０を保持したが、例えば取付具２２や連結具２３にブレースを保持させてもできる。
さらに、第３実施形態において、保持具４１は図７〜図９に示される形状に限定されるものではなく、ブレース１０の端部１０Ａが係合されるものであればどのような形状でもよい。例えば、第１実施形態で使用されるような略角柱状の部材を用い、この略角柱状部材の端面に略コ字型の端部１０Ａを嵌合するような嵌合溝を形成するものでもよく、あるいは、略角柱状の部材の端面に端部１０Ａを係止する突起を取り付けるものでもよい。
その他、本発明の実施の際の具体的な構造および手順は、本発明の目的を達成できる範囲で他の構造等としてもよい。
【００５０】
【発明の効果】
本発明の補強装置によれば、構造体の構面を構成する一対の略平行な骨組み部材に、前記構面の対角線上で前記骨組み部材の相対向する側と反対側に位置して配設される一対の台座部と、これら台座部に軸方向の両端部が保持されて前記台座部間の距離が広がる方向への応力に対して引っ張り力を作用させる長手状のブレースとを備えた構成としたので、例えば地震力や風圧力などの外力により構造体に構面が変形するような負荷が掛かって台座部間の距離が広がる方向への応力が生じた際に、ブレースに引っ張り応力が作用するので、台座部がブレースにて引っ張られ外側から骨組み部材に押し付けられる力が作用して位置ずれすることがない。そのため、台座部を強固に骨組み部材に取り付けるための構成が不要となり、簡単な構成で補強装置を配置することができる。
しかも、ブレースは、互いに対向配置された略コ字状部を有する端部とこれらの端部同士を接続する直線状の中央部とを備えた構成であり、かつ、その略コ字状部を有する両端部がそれぞれ前記台座部に係合されている構成としたから、コ字状部が台座部に係合されることで、ブレースの端部をナット等の定着手段を用いて台座部に定着することを要しない。そのため、台座部にブレースを定着するための部品点数を減少させることができるので、この点からも、補強装置の設置作業を容易に行うことができる。
【図面の簡単な説明】
【図１】本発明の第１実施形態における建築構造物の構面に補強装置を配設した状態を示す正面図である。
【図２】前記平面断面図である。
【図３】前記台座部の保持具近傍を示す側面図である。
【図４】前記台座部の取付具近傍を示す側面図である。
【図５】前記台座部近傍を示す正面図である。
【図６】本発明の第２実施形態を示すもので図５に相当する図である。
【図７】本発明の第３実施形態を示すもので図１に相当する図である。
【図８】前記平面断面図である。
【図９】第３実施形態において前記台座部近傍を示すものであって図５に相当する図である。
【符号の説明】
１                    補強装置
２                    骨組み部材としての柱
３                    骨組み部材としての梁
４                    構面
１０                    ブレース
１０Ａ                  端部
１０Ｂ                  中央部
２０                    台座部
２１，３１，４１        取付部材としての保持具
２１Ａ                  係合溝
２５                    保持金具
３１Ａ                  係合孔
４１Ａ                  端部
【図１】
2004270240.tif 000003
【図２】
2004270240.tif 000004
【図３】
2004270240.tif 000005
【図４】
2004270240.tif 000006
【図５】
2004270240.tif 000007
【図６】
2004270240.tif 000008
【図７】
2004270240.tif 000009
【図８】
2004270240.tif 000010
【図９】
2004270240.tif 000011